(57)【要約】【課題】    日刊紙を傷めないで如何に読み、整理するかの問題を解決する事にあり、本発明はこれを、安価に解決することである。【解決手段】  ホルダー左に回転クリップを付け、そのクリップの右際に表表紙に折線を形成し、裏表紙にも同様に折線を形成したホルダー及び、前記折線より更に内側にもう一箇所ずつ折線を配したホルダーの提供である。【選択図】図１８
2009012436.tif 000002
【特許請求の範囲】
【請求項１】
左辺のみが閉じ、上、下、右側が開放するＡ４サイズよりやや大きめのホルダーの左側中央部になる様に回転クリップ（イ）を裏表紙の（ロ）の位置でカシメ（ハ）でカシメテ付け、その回転クリップのセットした状態の右端の位置に折れ線（ホ）、裏表紙側に（ヘ）を１図の如く入れたホルダー。
【請求項２】
請求項１のホルダーに左端から４０ミリ程度の位置に折れ線（ト）、裏表紙側に（チ）を加えたホルダー。
【請求項３】
上記の請求項に加え、当該ホルダーの中心折線部の上側に２箇所、下側に２個所小さな穴を図１１の如く作り、図１７の如く紐を付けたホルダー。
【発明の詳細な説明】
【発明の詳細な説明】
【技術分野】
【０００１】  本発明は、薄物冊子や新聞等のホルダーに関するものである。
【背景技術】
【０００２】  従来の前記のホルダーはワイヤーを中心に挟んで綴じたり、クリップで中心部を上下で留める方式、穴をあけて綴じる方式、ホチキス針で綴じる方式等いろいろ有るが、嵩張ったり、本体を傷めて見苦しくするものが主である。【０００３】  日刊紙等の一部保管ホルダーはホルダー自体が大きくなり、持ち運びに不便である。
又、ホルダーをしないで折ってカバン等に入れて持ち運ぶと、皺になり易い。【０００４】  家庭でも先に読む者がホルダー無しで、折り返しながら読み、２，３人が読んだ後は折れ線が曲げられ、最後に読む者は皺だらけで読むのに気が滅入る。
【発明が解決しようとする課題】
【０００５】  本発明の目的は、上記の欠点を解決するホルダーを提供するものである。
【０００６】  本発明の新規な特徴は、本明細書の記述及び添付図面によって明らかになるであろう。
【課題を解決するための手段】
【０００７】  本願において開示される発明のうち、代表的なものの概要を説明すれば、以下の通りである。
【０００８】  本発明の（１）の手段は適度の硬さと厚さを有する１枚の板状素材をＡ３よりやや大きめの方形にカットし、その方形の長辺の中心で二つ折りし、折線（ニ）を形成し、Ａ４よりやや大きめで右側の辺（ニ）が閉じ、他の３辺の解放した物を形成し、折線（ニ）の上下の中心になる位置にして回転クリップ（イ）を図２の如く、表４の（ロ）の位置にカシメ（ハ）でカシメテ取り付ける。
回転クリップを取付け、セットして、回転クリップの右端の位置で、表表紙に折れ線（ホ）を形成する。又裏表紙にも同位置（左端から１５ｍｍ）に折れ線（ヘ）を形成する。
本発明の（２）の手段は本発明の表表紙及び裏表紙に左端から４０ｍｍの位置に折線（ト）と（チ）を形成する。
本発明の（３）の手段は本発明の中心折線（ニ）の上端から３ｍｍと９ｍｍの位置に直径２ｍｍの穴（リ）、（ヌ）を形成し、中心折線（ニ）の下端から３ｍｍと９ｍｍの位置に直径２ｍｍの穴（ル）、（ヲ）を形成し、紐通し穴とする。
この紐通し穴に紐（ヨ）を、穴（リ）から表紙内側に入れ、穴（ヌ）から外側に出し、穴（ヲ）から表紙内側に入れ、穴（ル）から外側に出す。
（リ）の先端部で紐にに結び目を形成する、又（ル）の先端部でも同様に紐にに結び目を形成し、図１４如く壁架けホルダーとする。
この紐は下げられる様に少し長めにする。
本発明の板素材は、厚紙等でも良いが、新聞、雑誌等での利用を考えると、やや硬めでなお柔軟性のあるプラスチック素材が良い。
又日刊紙の場合等は透明のものが最適である。
【０００９】      以下、本発明について、図面を参照して実施形態（実施例）とともに詳細に説明する。
【００１０】    なお、実施形態（実施例）を説明するために全図において、同一機能を有するものは同一符号を付け、その繰り返しの説明は省略する。
【発明を実施するための最良の形態】
【００１１】  （実施形態１）
図１は本発明の実施形態（実施例）１の雑誌ホルダーのビク抜き内側正面図であり、（ニ）が中心折線である。（ホ）が表表紙の折線であり、（ヘ）が裏表紙の折線である。
図２は図１の裏側で（ロ）の位置に回転クリップ（イ）をカシメ（ハ）で取付けた状態図である。
図３は本発明請求項１の雑誌を装填する内側正面図であり、図４は図３の雑誌を装填し回転クリップを閉める状態の斜視図である。
図５雑誌を装填した、正面図であり、図６はその背面図である。
図７は雑誌を装填し開いた状態の斜視図であり、これで明確の様に回転クリップのセット右端の位置に折線（ホ）、（ヘ）を入れる事により、装填した雑誌の中心部まで読むことができる。
【発明を実施するための最良の形態】
【００１２】  （実施形態２）
図８は実施形態１に加えて、なお折線（ト）、（チ）を追加した内側正面図である。
図９は本発明は実施形態２の物に日刊紙（カ）を装填した正面図である。
図１０はその背面図である。
図１１は本発明の実施例２で実際に日刊紙を本発明のホルダーに装填して１面の右半分を読む状態を示す図である。
図１２は本発明の実施例２で図１１を反転し、１面左半分を、読む図である。
図１３は本発明の実施例２で１面を表４に巻き上げ２面左半分を、読む図である。
図１４は表紙に巻込み２面左半分を、読む図である。
図１５は手を持替え３面の右半分を、読む図である。
図１６は回転して閉じて、３面左半分を読む図である。
以下、順次図１３からの繰り返しとなる。【００１３】  この本発明の実施例２で示す様に日刊紙を縦に反転させたり、巻込んだりする動作の繰返しで、ページの半分のコントロールで読めるので、狭い電車内で周りの人に迷惑をかけないで読め、片手は吊革につかまる事も可能である。
【発明を実施するための最良の形態】
【００１４】  （実施形態３）
図１７の如く中心折線（ニ）の上部から３ｍｍと９ｍｍに穴（リ）、（ヌ）、下部から３ｍｍと９ｍｍに穴（ル）、（ヲ）設け、紐通し穴を設けた内側正面図である。
紐（ヨ）を穴（リ）から内側に入れ、（ヌ）から外に出し、（ヲ）から内に入れ、（ル）で外に出す。そして、（リ）と（ル）の外側で結び目を作り、表紙の奥まで新聞が入る様にする。
この作業で形成された、本発明のホルダーに日刊紙をホルダーして、フックで吊った斜視図が図１８である。
【発明の効果】
【００１５】  本願において開示される発明のうち代表的なものによって得られる効果を説明すれば、以下の通りである。
【００１６】  表、裏表紙にクリップの際に折線を設けることにより、中の紙面が左右に平等に開くので、文章が読みやすい。
【００１７】  トジシロも平均に開き、書類の破損が防げる。
【００１８】  実施形態２の例にみられる様に、表紙にさらに２箇所折線（ト）、（チ）を加える事により、本発明のホルダーを用いて日刊紙等をして読む場合に、片手でも保持出来、その上に、屋外で読む場合でも風で新聞が乱される事が少なくなる。
【００１９】  実施形態３の例にみられる様に本発明のホルダーにセットして、所定の場所に吊下げ置けば、破損も防げ、散逸も防げる。
【００２０】  通勤等で、読み途中の場合には本発明のホルダーから新聞を一旦外して、ホルダーに収まる様に畳んで、再度ホルダーに収納すると、カバンに入れても、新聞が皺にならない。
【００２１】  本発明のホルダーを用いれば、折曲げた時に各ページに１ｍｍ程度の段差が出来るので、新聞がめくり易くなる。
【産業上の利用の可能性及び効果】
【００２２】  図書館、病院、美容院、等で大掛かりな新聞ラックを設置しているが、本発明のホルダーを用いる事により設置設備も場所も節減が可能となる。
【００２３】  食堂、診療所、バスセンター等で、ホチキスで留めバラケナイ様にしているが、異質な物の分別廃棄が問題になる現代、紙と金属の分離に手が掛かる。
本発明のホルダーを利用する事により、その必要も無くなる。
【図面の簡単な説明】
【図１】  本発明の実施形態（実施例）１のビク抜き内側の正面図である。
【図２】  本発明の実施形態（実施例）１のビク抜きしたものに、回転クリップを装着した外側の概観斜視図である。
【図３】  本発明の実施形態（実施例）１の雑誌装填、内側斜視図である。
【図４】  本発明の実施形態（実施例）１の雑誌装填、表側斜視図である。
【図５】  本発明の実施形態（実施例）１の雑誌装填正面図である。
【図６】  本発明の実施形態（実施例）１の雑誌装填裏側正面図である。
【図７】  本発明の実施形態（実施例）１の雑誌装填し、開いた状態の斜視図である。
【図８】  本発明の実施形態（実施例）２のビク抜き内側の正面図である。
【図９】  本発明の実施形態（実施例）２のホルダーに日刊紙を装着した、正面図である。
【図１０】  本発明の実施形態（実施例）２のホルダーに日刊紙を装着した、裏正面図である。
【図１１】  本発明の実施形態（実施例）２のホルダーに日刊紙を装着し、折曲げて１面右半分を読む状態を示す斜視図である。
【図１２】  本発明の実施形態（実施例）２のホルダーに日刊紙を装着し、折曲げて１面右半分を読んだ後、転回して１面左半分を読む状態を示す斜視図である。
【図１３】  本発明の実施形態（実施例）２のホルダーに日刊紙を装着し、１枚目をホルダー表４の上にのせて２面右半分を読む状態を示す斜視図である。
【図１４】  本発明の実施形態（実施例）２のホルダーに日刊紙を装着し、２面右半分を読んだ後、２面左半分を読む状態を示す斜視図である。
【図１５】  本発明の実施形態（実施例）２のホルダーに日刊紙を装着し、２面左半分を読んだ後に持替えて３面右半分を読む状態を示す斜視図である。
【図１６】  本発明の実施形態（実施例）２のホルダーに日刊紙を装着し、３面右半分を読んだ後、転回し、３面左半分を読む状態を示す斜視図である。以下は図１３からの順次の繰り返しとなる。
【図１７】  本発明の実施形態（実施例）３のホルダーの紐通し穴を設けた、ビク抜き内側の正面図である。
【図１８】  本発明の実施形態（実施例）３のホルダーに日刊紙をセットし、フックに架けた状態を示す斜視図である。
【符号の説明】
イ・・回転クリップ。          ロ・・回転クリップ取り付け穴。
ハ・・カシメ。                ニ・・中心折り曲げ線。
ホ・・表表紙折り曲げ線。      ヘ・・裏表紙折り曲げ線。
ト・・表表紙折り曲げ線。      チ・・裏表紙折り曲げ線。
リ、ヌ、・・表表紙紐通し穴。  ル、ヲ、・・裏表紙紐通し穴。
ヨ・・壁掛け用紐。            タ・・壁フック。
【図１】
2009012436.tif 000003
【図２】
2009012436.tif 000004
【図３】
2009012436.tif 000005
【図４】
2009012436.tif 000006
【図５】
2009012436.tif 000007
【図６】
2009012436.tif 000008
【図７】
2009012436.tif 000009
【図８】
2009012436.tif 000010
【図９】
2009012436.tif 000011
【図１０】
2009012436.tif 000012
【図１１】
2009012436.tif 000013
【図１２】
2009012436.tif 000014
【図１３】
2009012436.tif 000015
【図１４】
2009012436.tif 000016
【図１５】
2009012436.tif 000017
【図１６】
2009012436.tif 000018
【図１７】
2009012436.tif 000019
【図１８】
2009012436.tif 000020